(57)【要約】【課題】音声再生装置において再生されたステレオ音声信号をディジタル変調し、これを無線通信（特に、赤外線通信）によりヘッドホン装置に送信し、音声出力させるワイヤレスヘッドホンシステムにおいて、ヘッドホン装置の左右装着状態を認識してＬ／Ｒチャンネルを自動的に切り替えて音声出力できるとともに、高品質の音声出力を実現できるワイヤレスヘッドホンシステムを提供する。【解決手段】ワイヤレスヘッドホンシステムにおいて、ヘッドホン装置は、エラー検出手段により検出された無線信号のエラー率に基づいて、当該ヘッドホン装置の装着向きを判定し、判定された装着向きに応じて、ディジタル復調された左右の音声信号のそれぞれの出力先（第１又は第２の音声出力部）を設定する一方、前記エラー率に基づいて、エラー率が低い方の無線信号を復調して得られるステレオ音声信号を第１又は第２の音声出力部に出力するようにした。【選択図】図５
2008124789.tif 000002
【特許請求の範囲】
【請求項１】
左右の音声が含まれたステレオ音声信号をディジタル変調し、この変調した信号を赤外線通信により送信する音声信号送信装置と、
前記音声信号送信装置から送信された赤外線信号を受信し、ディジタル復調したステレオ音声信号を第１の音声出力部又は第２の音声出力部から出力するヘッドホン装置と、を有するワイヤレスヘッドホンシステムであって、
前記ヘッドホン装置は、
聴者が当該ヘッドホンを装着したときに聴者の前方からの赤外線信号を主として受信する位置に設けられた第１の赤外線受光部と、聴者の後方からの赤外線信号を主として受信する位置に設けられた第２の赤外線受光部と、
前記第１及び第２の赤外線受光部で受信された赤外線信号をそれぞれディジタル復調した際のエラー率を検出するエラー検出手段と、
前記第１及び第２の赤外線受光部で受信された赤外線信号の信号レベルを検出する信号レベル検出手段と、
所定時間内に受信され検出された前記赤外線信号のエラー率及び信号レベルに基づいて、当該ヘッドホン装置の装着向きを判定する装着向き判定手段と、
前記装着向き判定手段により判定された装着向きに応じて、ディジタル復調された左右の音声信号のそれぞれの出力先を設定するとともに、所定の操作が行われるまでこの設定を保持する出力先設定手段と、
前記エラー検出手段により検出されたエラー率に基づいて、前記第１及び第２の赤外線受光部で受信された赤外線信号のうちエラー率の低い方の赤外線信号を復調して得られる左右の音声信号を、前記設定された出力先に出力する出力信号選択手段と、を備えることを特徴とするワイヤレスヘッドホンシステム。
【請求項２】
左右の音声が含まれたステレオ音声信号をディジタル変調し、この変調した信号を無線通信により送信する音声信号送信装置と、
前記音声信号送信装置から無線送信された信号を受信し、ディジタル復調したステレオ音声信号を第１の音声出力部又は第２の音声出力部から出力するヘッドホン装置と、を有するワイヤレスヘッドホンシステムであって、
前記ヘッドホン装置は、
少なくとも２カ所に設けられ、前記音声信号送信装置からの無線信号を受信可能な無線信号受信部と、
前記複数の無線信号受信部で受信された無線信号をそれぞれディジタル復調した際のエラー率を検出するエラー検出手段と、
前記エラー検出手段により検出されたエラー率に基づいて、当該ヘッドホン装置の装着向きを判定する装着向き判定手段と、
前記装着向き判定手段により判定された装着向きに応じて、ディジタル復調された左右の音声信号のそれぞれの出力先を設定する出力先設定手段と、
前記エラー検出手段により検出されたエラー率に基づいて、前記複数の無線信号受信部で受信された無線信号のうちエラー率の最も低い無線信号を復調して得られる左右の音声信号を前記設定された出力先に出力する出力信号選択手段と、を備えることを特徴とするワイヤレスヘッドホンシステム。
【請求項３】
前記無線信号受信部は、聴者が当該ヘッドホンを装着したときに聴者の前方からの無線信号を主として受信する位置に設けられた第１の無線信号受信部と、聴者の後方からの無線信号を主として受信する位置に設けられた第２の無線信号受信部と、を含むことを特徴とする請求項２に記載のワイヤレスヘッドホンシステム。
【請求項４】
前記無線信号は、赤外線信号であることを特徴とする請求項２又は３に記載のワイヤレスヘッドホンシステム。
【請求項５】
前記装着向き判定手段は、所定時間内に受信して検出された無線信号のエラー率に基づいて、当該ヘッドホン装置の装着の向きを判定し、
前記出力先設定手段は、前記装着向き判定手段により判定された装着の向きに応じて、ディジタル復調された左右の音声信号のそれぞれの出力先となる前記第１および第２の音声出力部を設定し、所定の操作が行われるまでこの設定を保持することを特徴とする請求項２から４の何れかに記載のワイヤレスヘッドホンシステム。
【請求項６】
前記複数の無線信号受信部で受信された無線信号の信号レベルを検出する信号レベル検出手段を備え、
前記装着向き判定手段は、前記エラー検出手段により検出されたエラー率及び前記信号レベル検出手段により検出された信号レベルに基づいて、当該ヘッドホン装置の装着向きを判定することを特徴とする請求項２から５の何れかに記載のワイヤレスヘッドホンシステム。
【発明の詳細な説明】
【技術分野】
【０００１】
本発明は、左右の音声が含まれたステレオ音声信号をディジタル変調し、この変調した信号を無線通信により送信する音声信号送信装置と、該音声信号送信装置から無線送信された信号を受信し、ディジタル復調したステレオ音声信号を音声出力部へ出力するヘッドホン装置と、を有するワイヤレスヘッドホンシステムに関する。
【背景技術】
【０００２】
従来、ＣＤプレイヤー等の音声再生装置からのステレオ音声信号を、無線通信により受信可能なワイヤレスヘッドホンが知られている（例えば，特許文献２、３）。このワイヤレスヘッドホンによれば、音声再生装置と接続する煩わしいコードを要しないため、聴者は動きを制限されないという利点がある。
【０００３】
一般に、Ｌ／Ｒの２ｃｈのステレオ音声出力に対応したステレオヘッドホンは、左右の装着方向が決まっているため、装着時に正しく左右の方向を合わせる必要がある。しかしながら、左右が対称か、対称に近い形態のヘッドホンでは、左右の区別が一見してわかりづらく、左右のマークを確認してから装着しなければならないという煩わしさがあった。
【０００４】
そこで、特許文献１では、ワイヤレスヘッドホンの一方のスピーカ（音声出力部）の前後に、音声送信装置（リア表示ユニット）から送信された検出信号を受信可能な受信部を設け、受信された検出信号の強度を比較してヘッドホンの左右装着状態を認識し、出力するＬ／Ｒチャンネルを自動的に切り替えるようにしたワイヤレスヘッドホンシステムが提案されている。また、検出信号としては、電波の他に赤外線や光を用いてもよいことが開示されている。
【０００５】
【特許文献１】特開２００５−３３３４２８号公報
【特許文献２】特開平７−３２７３００号公報
【特許文献３】特開２００５−２８６９１９号公報
【発明の開示】
【発明が解決しようとする課題】
【０００６】
しかしながら、特許文献１に記載のワイヤレスヘッドホンシステムでは、ヘッドホンの装着状態を判定するための検出信号の受信部を、音声信号受信部とは別に設けるようにしているため、構成が複雑になるという問題がある。また、音声信号受信部は一つであるため、伝送路の状態によって受信状態が悪くなった場合には、ヘッドホンのスピーカから出力される音質が劣化するという問題がある。
【０００７】
また、赤外線通信を利用したワイヤレスヘッドホンシステムでは、赤外線信号を受信可能な範囲を広くするため、一般に、ヘッドホン装置に複数の赤外線受光部が設けられている。しかしながら、複数の赤外線受光部で受信した赤外線信号を合成した後、これを復調して音声出力させるので、ある赤外線受光部でノイズやエラー訂正不能な信号を受信した場合には、これを復調して出力される音声の品質が低下する虞がある。なお、従来は回路構成を簡便にするために、受信した赤外線信号を合成した後、復調していると考えられる。
【０００８】
本発明は、音声再生装置において再生されたステレオ音声信号をディジタル変調し、これを無線通信（特に、赤外線通信）によりヘッドホン装置に送信し、音声出力させるワイヤレスヘッドホンシステムにおいて、ヘッドホン装置の左右装着状態を認識してＬ／Ｒチャンネルを自動的に切り替えて音声出力できるとともに、高品質の音声出力を実現できるワイヤレスヘッドホンシステムを提供することを目的とする。
【課題を解決するための手段】
【０００９】
本発明は、上記目的を達成するためになされたもので、左右の音声が含まれたステレオ音声信号をディジタル変調し、この変調した信号を無線通信により送信する音声信号送信装置と、前記音声信号送信装置から無線送信された信号を受信し、ディジタル復調したステレオ音声信号を第１の音声出力部又は第２の音声出力部から出力するヘッドホン装置と、を有するワイヤレスヘッドホンシステムであって、前記ヘッドホン装置は、少なくとも２カ所（例えば、左右側スピーカのどちらか一方の前後）に設けられ、前記音声信号送信装置からの無線信号を受信可能な無線信号受信部と、前記複数の無線信号受信部で受信された無線信号をそれぞれディジタル復調した際のエラー率を検出するエラー検出手段と、前記エラー検出手段により検出されたエラー率に基づいて、当該ヘッドホン装置の装着向きを判定する装着向き判定手段と、前記装着向き判定手段により判定された装着向きに応じて、ディジタル復調された左右の音声信号のそれぞれの出力先（第１又は第２の音声出力部）を設定する出力先設定手段と、前記エラー検出手段により検出されたエラー率に基づいて、前記複数の無線信号受信部で受信された無線信号のうちエラー率の最も低い無線信号を復調して得られる左右の音声信号を前記設定された出力先に出力する出力信号選択手段と、を備えることを特徴とする。
【００１０】
例えば、ヘッドホン装置の左右の音声出力部（スピーカ）の形状が同じである場合、左右の区別が一見してわかりづらいが、本発明により左右の音声出力部を区別して装着する必要はなくなる。
【００１１】
また、前記無線信号受信部は、聴者が当該ヘッドホンを装着したときに聴者の前方からの無線信号を主として受信する位置に設けられた第１の無線信号受信部と、聴者の後方からの無線信号を主として受信する位置に設けられた第２の無線信号受信部と、を含むことを特徴とする。これにより、聴者がヘッドホン装置を装着したときに前後、すなわち、どちらの無線信号受信部が音声信号送信装置側を向いているかを確実に判定することができるので、装着向きを正確に判定できる。
【００１２】
例えば、第１の音声出力部の前後に無線信号受信部を設けた場合、第１の無線信号受信部が前方（音声信号送信装置側）にあると判定された場合（例えば、第１の無線信号受信部からの無線信号のエラー率が低い場合）に、第１の音声出力部から左側の音声が出力され、第２の音声出力部から右側の音声が出力されるように設定すれば、第２の無線信号受信部が前方と判定された場合（例えば、第２の無線信号受信部からの赤外線信号のエラー率が低い場合）は、逆に、第２の音声出力部から左側の音声信号が出力され、第１の音声出力部から右側の音声信号が出力されるように設定すればよいこととなる。
【００１３】
また、前記無線信号は、赤外線信号であることを特徴とする。これにより、無線信号受信部（赤外線受光部）では、受光方向以外からの赤外線信号の受光は困難となるので、受光された赤外線信号のエラー率の差が顕著になり、ヘッドホン装置の装着向きを正確に判定できる。
【００１４】
さらに、前記装着向き判定手段は、所定時間内に受信した無線信号のエラー率に基づいて、当該ヘッドホン装置の装着の向きを判定し、前記出力先設定手段は、前記装着向き判定手段により判定された装着の向きに応じて、ディジタル復調された左右の音声信号のそれぞれの出力先となる前記第１および第２の音声出力部を設定し、所定の操作が行われるまで（例えば、ヘッドホン装置の電源オフまで）この設定を保持することを特徴とする。例えば、聴者がヘッドホン装置を装着したことを検知する装着検知手段を設け、ヘッドホン装置が装着されたことに基づいてヘッドホン装置の電源が投入されるようにし、装着してから所定時間後に装着向きを自動的に判定するのが望ましい。
【００１５】
これにより、ヘッドホン装置の装着向きに基づいて出力先（第１又は第２の音声出力部）が設定された後、聴者が場所を移動するなどして、それぞれの無線信号受信部で受信された受信信号のエラー率が変化しても、設定された装着向きは変更されないこととなる。一方、音声出力部に出力される音声信号は、常にエラー率の低い信号を復調して得られる音声信号となるため、高音質を維持することができる。
【００１６】
さらに、前記複数の無線信号受信部で受信された無線信号の信号レベル（受信強度）を検出する信号レベル検出手段を備え、前記装着向き判定手段は、前記エラー検出手段により検出されたエラー率及び前記信号レベル検出手段により検出された信号レベルに基づいて、当該ヘッドホン装置の装着向きを判定することを特徴とする。これにより、受信した無線信号の優劣は顕著になるので、ヘッドホン装置の装着向きの判定精度を向上することができる。
【発明の効果】
【００１７】
本発明によれば、ワイヤレスヘッドホンシステムにおいて、ヘッドホン装置は、エラー検出手段により検出された無線信号（赤外線信号）のエラー率に基づいて、当該ヘッドホン装置の装着向き（左右）を判定し、判定された装着向きに応じて、ディジタル復調された左右の音声信号のそれぞれの出力先（第１又は第２の音声出力部）を設定する一方、前記エラー率に基づいて、エラー率の最も低い無線信号を復調して得られるステレオ音声信号（左右の音声信号）を設定された出力先に出力するようにしたので、ヘッドホン装置の左右を区別することなく装着できるとともに、音声出力部から高音質の音声を出力させることができる。
【００１８】
例えば、１の無線信号受信部で受信された無線信号がエラー訂正不能なものであっても、他の無線信号受信部で受信された無線信号を復調して得られるステレオ音声信号が出力されることとなる（受信された複数の無線信号は合成されない）ので、音声出力部から出力される音質が劣化することはない。
【発明を実施するための最良の形態】
【００１９】
以下、本発明の実施の形態について図面を参照して説明する。
図１は本発明に係るワイヤレスヘッドホンシステムの概略構成図で、図２は本発明に係るワイヤレスヘッドホンシステムを構成するヘッドホン装置２０の斜視図である。
本実施形態のワイヤレスヘッドホンシステムは、ＣＤプレイヤー等の音声再生装置３０に接続された音声信号送信装置１０と、ヘッドホン装置２０で構成される。
【００２０】
音声信号送信装置１０は、音声再生装置３０から出力されたステレオ音声信号（左右の音声信号）をディジタル変調し、この変調した信号を赤外線通信によりヘッドホン装置２０に送信する。
【００２１】
一方、ヘッドホン装置２０は、音声信号送信装置１０から送信された赤外線信号を受信し、これをディジタル復調したステレオ音声信号を第１の音声出力部又は第２の音声出力部に出力する。以下の説明では、図１，２の左側スピーカ２６Ｌを第１の音声出力部、右側スピーカ２６Ｒを第２の音声出力部とする。
【００２２】
なお、第１の音声出力部２６Ｌ及び第２の音声出力部２６Ｒは、左耳又は右耳の何れにも装着できる形状を有する。
【００２３】
また、ヘッドホン装置２０は、音声信号送信装置１０からの赤外線信号を受信する無線信号受信部としての赤外線受光部２１を備える。赤外線受光部２１は、例えば、円筒体の上面及び底面に、第１の赤外線受光素子（第１の無線信号受信部）２１ａ及び第２の赤外線受光素子（第２の無線信号受信部）２１ｂを有し、聴者がヘッドホン装置２０を装着したときに聴者の前方及び後方からの赤外線信号を主として受信できるように、第２の音声出力部２６Ｒの上部に水平に配置される。なお、赤外線受光部２１を第１の音声出力部２６Ｌの上部に配置するようにしてもよい。
【００２４】
次に、本実施形態のワイヤレスヘッドホンシステムを構成する音声信号送信装置１０及びヘッドホン装置２０の具体的な構成について説明する。
図３は、音声信号送信装置１０のブロック図である。図３に示すように、音声信号送信装置１０は、音声再生装置３０からのステレオ音声信号を入力可能な音声信号入力端子１５Ｌ，１５Ｒと、Ａ／Ｄ変換部１４と、ディジタル変調部１３と、ドライバアンプ１２と、赤外線発光素子１１と、を備える。
【００２５】
音声再生装置３０からのＬ／Ｒステレオ音声信号は、音声信号入力端子１５Ｌ，１５Ｒを介して音声信号送信装置１０に入力され、Ａ／Ｄ変換部１４においてディジタル変換される。ディジタル変換されたディジタル音声信号は、ディジタル変調部１３において所定のディジタル変調処理を施され、変調された信号はドライバアンプ１２で増幅され、赤外線発光素子１１からヘッドホン装置２０に向けて送信される。
【００２６】
図４は、ヘッドホン装置２０のブロック図である。図４に示すように、ヘッドホン装置２０は、第１及び第２の赤外線受光素子２１ａ，２１ｂと、Ｉ／Ｖ変換アンプ２２ａ，２２ｂと、ディジタル復調部２３と、マイコン２４と、Ｄ／Ａ変換部２５と、第１の音声出力部２６Ｌ及び第２の音声出力部２６Ｒと、を備える。
【００２７】
赤外線受光素子２１ａ，２１ｂで受光した赤外線信号は、Ｉ／Ｖ変換アンプ２２ａ，２２ｂで増幅され、ディジタル復調部２３で所定のディジタル復調処理を施される。復調されたＬ／Ｒステレオ音声信号は、Ｄ／Ａ変換部２５において左右の音声信号Ｌ，Ｒに分離され、アナログ変換された後、第１の音声出力部２６Ｌ及び第２の音声出力部２６Ｒから出力される。
【００２８】
マイコン２４は、第１及び第２の赤外線受光素子２１ａ，２１ｂで受信された２つの赤外線信号をディジタル復調部２３でディジタル復調した際のエラー率を検出する（エラー検出手段）。そして、検出されたエラー率に基づいて、当該ヘッドホン装置２０の装着向きを判定する（装着向き判定手段）。さらに、第１及び第２の赤外線受光素子２１ａ，２１ｂで受信された２つの赤外線信号の信号レベルを検出するようにし（信号レベル検出手段）、検出されたエラー率及び信号レベルに基づいて、当該ヘッドホン装置２０の装着向きを判定することで、判定精度を向上させることができる。
【００２９】
また、マイコン２４は、ヘッドホン装置２０の装着向きに応じて、ディジタル復調された左右の音声信号Ｌ，Ｒをそれぞれ何れの音声出力部２６Ｌ，２６Ｒに出力するか決定し、出力先を設定する（出力先設定手段）。
【００３０】
さらに、マイコン２４は、赤外線信号のエラー率に基づいて、赤外線受光素子２１ａ，２１ｂで受信された２つの赤外線信号のうち、エラー率の低い方の赤外線信号に基づくステレオ音声信号を第１又は第２の音声出力部に出力させる（出力信号選択手段）。
【００３１】
図５は、ヘッドホン装置２０において実行される音声出力処理について示したフローチャートである。なお、ヘッドホン装置２０の装着状態（装着向き）の判定は、聴者がヘッドホン装置２０を装着して音声信号送信装置１０の方を向いた状態で行われるものとする。すなわち、音声信号送信装置側に面した赤外線受光部で受信した赤外線信号の方が、エラー率は低くなる。
【００３２】
まず、ステップＳ１０１で、ヘッドホン装置２０の電源が投入されたか判定する。そして、ヘッドホン装置２０の電源が投入されていると判定した場合はステップＳ１０２に移行し、ヘッドホン装置２０の電源が投入されていないと判定した場合はそのまま処理を終了する。なお、聴者がヘッドホン装置を装着したときに、自動的に電源が投入されるようにしてもよい。
【００３３】
次いで、第１及び第２の赤外線受光素子２１ａ，２１ｂで音声信号送信装置１０から送信された赤外線信号を受信したか判定する（ステップＳ１０２）。そして、赤外線信号を受信したと判定した場合はステップＳ１０３に移行し、赤外線信号を受信していない（例えば、音声信号送信装置の電源が投入されていない）と判定した場合はそのまま処理を終了する。
【００３４】
次いで、ステップＳ１０３で、第１及び第２の赤外線受光素子２１ａ，２１ｂで受信したそれぞれの赤外線信号のエラー率を取得し、何れの赤外線信号のエラー率が低いか判定する（ステップＳ１０４）。
【００３５】
ステップＳ１０４で、第１の赤外線受光素子２１ａで受信した赤外線信号のエラー率が低いと判定した場合は、第１の音声出力部（左側スピーカ）２６Ｌに左音声信号Ｌが出力されるように設定し、第２の音声出力部（右側スピーカ）２６Ｒに右音声信号Ｒが出力されるように設定する（ステップＳ１０５）。すなわち、第１の赤外線受光素子２１ａで受信した赤外線信号のエラー率が低いということは、第１の赤外線受光素子２１ａが音声信号送信装置１０側に面しているということになるので、第１の音声出力部２６Ｌが左耳に、第２の音声出力部２６Ｒが右耳に装着された状態になるためである。
【００３６】
そして、第１の赤外線受光素子２１ａで受信したエラー率の低い赤外線信号を復調して得られたステレオ音声信号Ｌ，Ｒを、設定された音声出力部２６Ｌ，２６Ｒに出力する。
【００３７】
一方、ステップＳ１０４で、第２の赤外線受光素子２１ｂで受信した赤外線信号のエラー率が低いと判定した場合は、第１の音声出力部（左側スピーカ）２６Ｌに右音声信号Ｒが出力されるように設定し、第２の音声出力部（右側スピーカ）２６Ｒに左音声信号Ｌが出力されるように設定する（ステップＳ１０７）。すなわち、第２の赤外線受光素子２１ｂで受信した赤外線信号のエラー率が低いということは、第２の赤外線受光素子２１ｂが音声信号送信装置１０側に面しているということになるので、第２の音声出力部２６Ｒが左耳に、第１の音声出力部２６Ｌが右耳に装着された状態になるためである。
【００３８】
そして、第２の赤外線受光素子２１ｂで受信したエラー率の低い赤外線信号に基づくステレオ音声信号Ｌ，Ｒを、設定された音声出力部２６Ｌ，２６Ｒに出力する。
【００３９】
このように、本実施形態では、ヘッドホン装置２０の電源投入時に受信した赤外線信号のエラー率に基づいて、当該ヘッドホン装置２０の装着の向き（左右）を判定し、ヘッドホン装置２０の装着向きに応じて、左右の音声信号の出力先を第１および第２の音声出力部２６Ｌ，２６Ｒの何れにするか決定している。また、この設定は、所定の操作が行われるまで（例えば、ヘッドホン装置の電源オフまで）保持されるようにするのが望ましい。
【００４０】
これにより、ヘッドホン装置２０の装着向きに基づいて出力先（第１又は第２の音声出力部）が設定された後、聴者が場所を移動するなどして、赤外線受光素子２１ａ，２１ｂによる受信状態（エラー率）が逆転しても左右の音声信号の出力先（第１又は第２の音声出力部２６Ｌ，２６Ｒ）は変更されないこととなる。
【００４１】
一方、音声出力部２６Ｌ，２６Ｒから出力される音声信号は、常にエラー率の低いものとされるため、高音質を維持することができる。なお、図５のフローチャートにおける音声出力（ステップＳ１０６，Ｓ１０８）は、ヘッドホン装置の電源投入時の場合を示したものであり、その後は、エラー率の低い赤外線信号が選択され、これを復調して得られる音声が出力されることとなる。
【００４２】
このように、本実施形態のワイヤレスヘッドホンシステムにおいて、ヘッドホン装置２０は、赤外線受光部２１ａ，２１ｂで受信した赤外線信号のエラー率に基づいて、当該ヘッドホン装置２０の装着向き（左右）を判定し、判定された装着向きに応じて、ディジタル復調された左右の音声信号のそれぞれの出力先（第１又は第２の音声出力部）を設定する。また、赤外線受光部２１ａ，２１ｂで受信した赤外線信号のエラー率に基づいて、エラー率が低い方の赤外線信号を復調して得られるステレオ音声信号（左右の音声信号）を設定された出力先に出力する。これにより、ヘッドホン装置２０の音声出力部２６Ｌ，２６Ｒの左右を区別することなく装着できるとともに、音声出力部２６Ｌ，２６Ｒから高音質の音声を出力させることができる。
【００４３】
以上、本発明者によってなされた発明を実施形態に基づいて具体的に説明したが、本発明は上記実施形態に限定されるものではなく、その要旨を逸脱しない範囲で変更可能である。
【００４４】
例えば、上記実施形態では、赤外線受光部２１で受信された赤外線信号のエラー率に基づいて、ヘッドホン装置２０の装着向きを判定するようにしているが、赤外線信号のエラー率だけでなく信号レベル（受信強度）も参照して、ヘッドホン装置の装着向きを判定するようにしてもよい。通常、赤外線信号のエラー率が低い方が、信号レベルは高くなるはずである。これにより、受信した無線信号の優劣は顕著になるので、ヘッドホン装置の装着向きの判定精度を向上できる。
【００４５】
また、上記実施形態では、ヘッドホン装置２０は、前方からと後方からの赤外線信号を受光可能な２つの赤外線受光素子２１ａ，２１ｂを設けた構成とされるが、さらに赤外線受光素子を設けるようにしてもよい。例えば、音声出力部２６Ｌ，２６Ｒの側面に設けることができる。これにより、聴者が移動して、例えば音声信号送信装置１０に対して垂直になったときでも赤外線信号を感度良く受光することができるので、高音質を維持することができる。なお、この場合でも、ヘッドホン装置２０の装着向きは、第１及び第２の赤外線受光素子からの赤外線信号に基づいて判定すればよい。
【００４６】
さらに、上記実施形態では、赤外線通信を利用してステレオ音声信号をヘッドホン装置２０に送信するようにしているが、電波等の一般的な無線通信を利用することもできる。ただし、赤外線通信を利用した方が、受光方向以外からの赤外線信号の受信が困難となり受信された赤外線信号のエラー率の差が顕著になるので、ヘッドホン装置の装着向きを正確に判定するためには赤外線通信の方が適していると考えられる。
【００４７】
また、音声再生装置３０から音声信号送信装置１０に入力される音声信号は、アナログ信号のほか、光ディジタル信号が入力されるようにしてもよい。
【図面の簡単な説明】
【００４８】
【図１】本発明に係るワイヤレスヘッドホンシステムの概略構成図である。
【図２】ヘッドホン装置２０の斜視図である。
【図３】音声信号送信装置１０のブロック図である。
【図４】ヘッドホン装置２０のブロック図である。
【図５】ヘッドホン装置２０において実行される音声出力処理について示したフローチャートである。
【符号の説明】
【００４９】
２０  ヘッドホン装置
２１  赤外線受光部（無線信号受信部）
２１ａ  第１の赤外線受光素子（第１の無線信号受信部）
２１ｂ  第２の赤外線受光素子（第２の無線信号受信部）
２２ａ，２２ｂ  Ｉ／Ｖ変換アンプ
２３  ディジタル復調部
２４  マイコン（エラー検出手段、装着向き判定手段、出力先設定手段、出力信号選択手段）
２５  Ｄ／Ａ変換部
２６Ｌ  第１の音声出力部
２６Ｒ  第２の音声出力部
【図１】
2008124789.tif 000003
【図２】
2008124789.tif 000004
【図３】
2008124789.tif 000005
【図４】
2008124789.tif 000006
【図５】
2008124789.tif 000007